(57)【要約】【課題】給湯装置から供給される湯が、混合栓で入水管から供給される水と混合されて出湯される場合に、湯の過剰な使用を抑制することができる給湯装置を提供する。【解決手段】混合栓２７から出湯される湯の目標流量と目標温度とを設定する目標出湯レベル設定手段３３と、入水管７から供給される水の温度Ｔcと、出湯温度センサ２３により検出される湯の温度Ｔhと、流量センサ１８により検出される湯の流量Ｗsと、目標温度Ｔsetとに基づいて、混合栓２７からの出湯流量である混合栓出湯流量Ｗkを算出する混合栓出湯流量算出手段３５と、混合栓出湯流量Ｗkと目標流量とを比較して、湯の使用状況を浴室リモコン５０及び台所リモコン７０に設けられたエコランプの表示により報知する湯使用状況報知手段３２とを備る。【選択図】  図１
2010281484.tif 000002
【特許請求の範囲】
【請求項１】
入水管及び出湯管と接続され、該入水管から供給される水を加熱して該出湯管に供給する加熱手段と、
前記入水管から供給される水の温度を検出する入水温度検出手段と、
前記出湯管から供給される湯の温度を検出する出湯温度検出手段と、
前記出湯管から供給される湯の流量を検出する流量検出手段と、
報知手段とを備え、
前記出湯管及び前記入水管と接続され、前記出湯管から供給される湯と前記入水管から供給される水とを、所定比率で混合して出湯する混合栓を介して、湯を供給する給湯装置において、
前記混合栓から出湯される湯の目標流量と目標温度とを設定する目標出湯レベル設定手段と、
前記入水温度検出手段により検出される水の温度と、前記出湯温度検出手段により検出される湯の温度と、前記流量検出手段により検出される湯の流量と、前記目標温度とに基づいて、前記混合栓からの出湯流量である混合栓出湯流量を算出する混合栓出湯流量算出手段と、
前記混合栓出湯流量と前記目標流量とを比較して、湯の使用状況を前記報知手段により報知する湯使用状況報知手段とを備えたことを特徴とする給湯装置。
【請求項２】
請求項１記載の給湯装置において、
前記混合栓出湯流量算出手段は、以下の式（１）により、前記混合栓出湯流量を算出することを特徴とする給湯装置。
Ｗk＝Ｗs×（Ｔh−Ｔc）／（Ｔset−Ｔc）  ・・・・・ （１）
但し、Ｗk：混合栓出湯流量、Ｗs：出湯管からの出湯流量、Ｔh：出湯温度検出手段による検出温度、Ｔc：入水温度検出手段による検出温度、Ｔset：目標温度。
【請求項３】
請求項１又は請求項２記載の給湯装置において、
遠隔操作用の第１リモコン及び第２リモコンと、
前記第１リモコンに設けられた前記報知手段としての第１報知手段と、
前記第２リモコンに設けられた前記報知手段としての第２報知手段とを備え、
前記目標出湯レベル設定手段は、前記目標流量として、前記第１リモコン用の第１目標流量と前記第２リモコン用の第２目標流量とを設定すると共に、前記目標温度として、前記第１リモコン用の第１目標温度と前記第２リモコン用の第２目標温度とを設定し、
前記混合栓出湯流量算出手段は、前記混合栓出湯流量として、前記第１リモコン用の第１混合栓出湯流量を前記第１目標温度に基づいて算出すると共に、前記第２リモコン用の第２混合栓出湯流量を前記第２目標温度に基づいて算出し、
前記湯使用状況報知手段は、前記第１混合栓出湯流量と前記第１目標流量とを比較して、湯の使用状況を前記第１報知手段により報知すると共に、前記第２混合栓出湯流量と前記第２目標流量とを比較して、湯の使用状況を前記第２報知手段により報知することを特徴とする給湯装置。
【請求項４】
入水管及び出湯管と接続され、該入水管から供給される水を加熱して該出湯管に供給する加熱手段と、
前記入水管から供給される水の温度を検出する入水温度検出手段と、
前記出湯管から供給される湯の温度を検出する出湯温度検出手段と、
前記出湯管から供給される湯の流量を検出する流量検出手段と、
報知手段とを備え、
前記出湯管及び前記入水管と接続され、前記出湯管から供給される湯と前記入水管から供給される水とを、所定比率で混合して出湯する混合栓を介して、湯を供給する給湯装置において、
前記混合栓から出湯される湯の目標流量と目標温度とを設定する目標出湯レベル設定手段と、
前記入水温度検出手段により検出される水の温度と、前記出湯温度検出手段により検出される湯の温度と、前記目標流量と、前記目標温度とに基づいて、前記目標流量且つ前記目標温度の湯を前記混合栓から供給するために必要となる前記出湯管からの出湯流量である必要出湯流量を算出する必要出湯流量算出手段と、
前記必要出湯流量と前記流量検出手段により検出される湯の流量とを比較して、湯の使用状況を前記報知手段により報知する湯使用状況報知手段とを備えたことを特徴とする給湯装置。
【請求項５】
請求項４記載の給湯装置において、
前記必要出湯流量算出手段は、以下の式（２）により、前記必要出湯流量を算出することを特徴とする給湯装置。
Ｗn＝Ｗset×（Ｔset−Ｔc）／（Ｔh−Ｔc）  ・・・・・ （２）
但し、Ｗn：必要出湯流量、Ｗset：目標流量、Ｔset：目標温度、Ｔh：出湯温度検出手段による検出温度、Ｔc：入水温度検出手段による検出温度。
【請求項６】
請求項４又は請求項５記載の給湯装置において、
遠隔操作用の第１リモコン及び第２リモコンと、
前記第１リモコンに設けられた前記報知手段としての第１報知手段と、
前記第２リモコンに設けられた前記報知手段としての第２報知手段とを備え、
前記目標出湯レベル設定手段は、前記目標流量として、前記第１リモコン用の第１目標流量と前記第２リモコン用の第２目標流量とを設定すると共に、前記目標温度として、前記第１リモコン用の第１目標温度と前記第２リモコン用の第２目標温度とを設定し、
前記必要出湯流量算出手段は、前記必要出湯流量として、前記第１リモコン用の第１必要出湯流量を前記第１目標流量と前記第１目標温度に基づいて算出すると共に、前記第２リモコン用の第２必要出湯流量を前記第２目標流量と前記第２目標温度に基づいて算出し、
前記湯使用状況報知手段は、前記第１必要出湯流量と前記流量検出手段により検出される湯の流量とを比較して、湯の使用状況を前記第１報知手段により報知すると共に、前記第２必要出湯流量と前記流量検出手段により検出される湯の流量とを比較して、湯の使用状況を前記第２報知手段により報知することを特徴とする給湯装置。
【発明の詳細な説明】
【技術分野】
【０００１】
本発明は、湯の使用状況を報知する機能を備えた給湯装置に関する。
【背景技術】
【０００２】
従来より、給湯装置からの出湯流量を流量センサで検出して、流量センサの検出流量が設定流量を超えているか否か制御部で判断し、検出流量が設定流量を超えているときには、湯の使用が過剰である旨を報知する音声メッセージの出力又は表示をリモコンで行うようにした給湯装置が提案されている（例えば、特許文献１参照）。
【先行技術文献】
【特許文献】
【０００３】
【特許文献１】特開２００１−２０１１７８号公報
【発明の概要】
【発明が解決しようとする課題】
【０００４】
上記特許文献１に記載された給湯装置によれば、出湯管の先端が単水栓に接続され、給湯装置から供給される湯がそのまま単水栓を介して出湯されるときは、給湯装置の流量センサで検出される出湯流量が単水栓からの出湯流量と等しくなるので、湯の使用が過剰であることを正しく判断することができる。
【０００５】
しかし、出湯管の先端が混合栓に接続されているときには、使用者は、好ましい温度の湯が得られるように、混合栓を操作して出湯管から供給される湯と入水管から供給される水との混合割合を調節する。そのため、流量センサで検出される給湯装置からの出湯流量よりも、混合栓からの出湯流量の方が多くなる。
【０００６】
その結果、使用者が設定流量を超える流量で混合栓からの湯を使用していても、流量センサの検出流量が設定流量を超えずに、湯の使用が過剰である旨の報知がなされない場合が生じ得る。そして、この場合には、湯の過剰な使用を抑制するという効果が得られない。
【０００７】
そこで、本発明は、給湯装置から供給される湯が、混合栓で入水管から供給される水と混合されて出湯される場合に、湯の過剰な使用を抑制することができる給湯装置を提供することを目的とする。
【課題を解決するための手段】
【０００８】
本発明は上記目的を達成するためになされたものであり、入水管及び出湯管と接続され、該入水管から供給される水を加熱して該出湯管に供給する加熱手段と、前記入水管から供給される水の温度を検出する入水温度検出手段と、前記出湯管から供給される湯の温度を検出する出湯温度検出手段と、前記出湯管から供給される湯の流量を検出する流量検出手段と、報知手段とを備え、前記出湯管及び前記入水管と接続され、前記出湯管から供給される湯と前記入水管から供給される水とを、所定比率で混合して出湯する混合栓を介して、湯を供給する給湯装置に関する。
【０００９】
そして、本発明の第１の態様は、前記混合栓から出湯される湯の目標流量と目標温度とを設定する目標出湯レベル設定手段と、前記入水温度検出手段により検出される水の温度と、前記出湯温度検出手段により検出される湯の温度と、前記流量検出手段により検出される湯の流量と、前記目標温度とに基づいて、前記混合栓からの出湯流量である混合栓出湯流量を算出する混合栓出湯流量算出手段と、前記混合栓出湯流量と前記目標流量とを比較して、湯の使用状況を前記報知手段により報知する湯使用状況報知手段とを備えたことを特徴とする。
【００１０】
かかる本発明によれば、前記混合栓出湯流量算出手段は、前記混合栓から供給される湯の流量である前記混合栓出湯流量を算出する。そして、前記湯使用状況報知手段は、前記混合栓接続認識手段により、前記出湯管が混合栓と接続されていると認識されているときに、前記混合栓出湯流量と前記目標流量とを比較して、湯の使用状況を前記報知手段により報知する。このように、前記混合栓出湯流量と前記目標流量とを比較することによって、使用者が湯の使用流量として認識する混合栓からの出湯流量について、前記目標流量に対する過剰等を報知して、湯の過剰な使用を抑制することができる。
【００１１】
また、前記第１の態様において、前記混合栓出湯流量算出手段は、以下の式（１）により、前記混合栓出湯流量を算出することができる。
【００１２】
Ｗk＝Ｗs×（Ｔh−Ｔc）／（Ｔset−Ｔc）  ・・・・・ （１）
但し、Ｗk：混合栓出湯流量、Ｗs：出湯管からの出湯流量、Ｔh：出湯温度検出手段による検出温度、Ｔc：入水温度検出手段による検出温度、Ｔset：目標温度。
【００１３】
また、前記第１の態様において、遠隔操作用の第１リモコン及び第２リモコンと、前記第１リモコンに設けられた前記報知手段としての第１報知手段と、前記第２リモコンに設けられた前記報知手段としての第２報知手段とを備え、前記目標出湯レベル設定手段は、前記目標流量として、前記第１リモコン用の第１目標流量と前記第２リモコン用の第２目標流量とを設定すると共に、前記目標温度として、前記第１リモコン用の第１目標温度と前記第２リモコン用の第２目標温度とを設定し、前記混合栓出湯流量算出手段は、前記混合栓出湯流量として、前記第１リモコン用の第１混合栓出湯流量を前記第１目標温度に基づいて算出すると共に、前記第２リモコン用の第２混合栓出湯流量を前記第２目標温度に基づいて算出し、前記湯使用状況報知手段は、前記第１混合栓出湯流量と前記第１目標流量とを比較して、湯の使用状況を前記第１報知手段により報知すると共に、前記第２混合栓出湯流量と前記第２目標流量とを比較して、湯の使用状況を前記第２報知手段により報知することを特徴とする。
【００１４】
かかる本発明によれば、前記目標出湯レベル設定手段により、前記目標流量及び前記目標温度として、前記第１リモコン用の前記第１目標流量及び前記第１目標温度と、前記第２リモコン用の前記第２目標流量及び前記第２目標温度が設定される。また、前記混合栓出湯流量算出手段により、前記混合栓出湯流量として、前記第１リモコン用の前記第１混合栓出湯流量が前記第１目標温度に基づいて算出されると共に、前記第２リモコン用の前記第２混合栓出湯流量が前記第２目標温度に基づいて算出される。
【００１５】
そして、前記湯使用状況報知手段は、前記第１リモコンについては、前記第１混合栓出湯流量と前記第１目標流量とを比較して、前記第１報知手段により湯の使用状況を報知する。また、前記湯使用状況報知手段は、前記第２リモコンについては、前記第２混合栓出湯流量と前記第２目標流量とを比較して、前記第２報知手段により湯の使用状況を報知する。これにより、前記第１リモコンと前記第２リモコンが、使用される湯の流量や温度が異なる箇所（例えば、浴室と台所）に設置されている場合に、個別に設定した条件により各リモコンで湯の使用状況を報知することができる。
【００１６】
次に、本発明の第２の態様は、前記混合栓から出湯される湯の目標流量と目標温度とを設定する目標出湯レベル設定手段と、前記入水温度検出手段により検出される水の温度と、前記出湯温度検出手段により検出される湯の温度と、前記目標流量と、前記目標温度とに基づいて、前記目標流量且つ前記目標温度の湯を前記混合栓から供給するために必要となる前記出湯管からの出湯流量である必要出湯流量を算出する必要出湯流量算出手段と、前記必要出湯流量と前記流量検出手段により検出される湯の流量とを比較して、湯の使用状況を前記報知手段により報知する湯使用状況報知手段とを備えたことを特徴とする。
【００１７】
かかる本発明によれば、前記必要出湯流量算出手段は、前記目標流量且つ前記目標温度の湯を前記混合栓から供給するために必要となる前記必要出湯流量を算出する。そして、前記湯使用状況報知手段は、前記必要出湯流量と前記流量検出手段により検出される湯の流量とを比較して、湯の使用状況を前記報知手段により報知する。このように、前記必要出湯流量と前記流量検出手段により検出される湯の流量とを比較することによって、使用者が湯の使用流量として認識する混合栓からの出湯流量について、前記目標流量に対する過剰等を報知して、湯の過剰な使用を抑制することができる。
【００１８】
また、前記第２の態様において、前記必要出湯流量算出手段は、以下の式（２）により、前記必要出湯流量を算出することができる。
【００１９】
Ｗn＝Ｗset×（Ｔset−Ｔw）／（Ｔh−Ｔc）  ・・・・・ （２）
但し、Ｗn：必要出湯流量、Ｗset：目標流量、Ｔset：目標温度、Ｔh：出湯温度検出手段による検出温度、Ｔc：入水温度検出手段による検出温度。
【００２０】
また、前記第２の態様において、遠隔操作用の第１リモコン及び第２リモコンと、前記第１リモコンに設けられた前記報知手段としての第１報知手段と、前記第２リモコンに設けられた前記報知手段としての第２報知手段とを備え、前記目標出湯レベル設定手段は、前記目標流量として、前記第１リモコン用の第１目標流量と前記第２リモコン用の第２目標流量とを設定すると共に、前記目標温度として、前記第１リモコン用の第１目標温度と前記第２リモコン用の第２目標温度とを設定し、前記必要出湯流量算出手段は、前記必要出湯流量として、前記第１リモコン用の第１必要出湯流量を前記第１目標流量と前記第１目標温度に基づいて算出すると共に、前記第２リモコン用の第２必要出湯流量を前記第２目標流量と前記第２目標温度に基づいて算出し、前記湯使用状況報知手段は、前記第１必要出湯流量と前記流量検出手段により検出される湯の流量とを比較して、湯の使用状況を前記第１報知手段により報知すると共に、前記第２必要出湯流量と前記流量検出手段により検出される湯の流量とを比較して、湯の使用状況を前記第２報知手段により報知することを特徴とする。
【００２１】
かかる本発明によれば、前記目標出湯レベル設定手段により、前記目標流量及び前記目標温度として、前記第１リモコン用の前記第１目標流量及び前記第１目標温度と、前記第２リモコン用の前記第２目標流量及び前記第２目標温度が設定される。また、前記必要出湯流量算出手段により、前記必要出湯流量として、前記第１リモコン用の前記第１必要出湯流量が前記第１目標流量及び前記第１目標温度に基づいて算出されると共に、前記第２リモコン用の前記第２必要出湯流量が前記第２目標流量及び前記第２目標温度に基づいて算出される。
【００２２】
そして、前記湯使用状況報知手段は、前記第１リモコンについては、前記第１必要出湯流量と前記流量検出手段により検出される湯の流量とを比較して、前記第１報知手段により湯の使用状況を報知する。また、前記湯使用状況報知手段は、前記第２リモコンについては、前記第２必要出湯流量と前記流量検出手段により検出される湯の流量とを比較して、前記第２報知手段により湯の使用状況を報知する。これにより、前記第１リモコンと前記第２リモコンが、使用される湯の流量や温度が異なる箇所（例えば、浴室と台所）に設置されている場合に、個別に設定した条件により各リモコンで湯の使用状況を報知することができる。
【図面の簡単な説明】
【００２３】
【図１】本発明の給湯装置の構成図。
【図２】図１に示した浴室リモコンの構成図。
【図３】図１に示した台所リモコンの構成図。
【図４】浴室リモコン及び台所リモコンにより目標流量を設定する際の表示態様を示した説明図。
【図５】混合栓からの出湯流量に基づいてエコランプの表示を決定する処理のフローチャート。
【図６】浴室リモコンにおけるエコランプの表示態様を示した説明図。
【図７】浴室リモコンにおけるエコランプの他の表示態様を示した説明図。
【図８】給湯装置からの出湯流量に基づいてエコランプの表示を決定する処理のフローチャート。
【図９】浴室リモコン及び台所リモコンにより目標流量を設定する際の他の表示態様を示した説明図。
【発明を実施するための形態】
【００２４】
本発明の実施の形態について、図１〜図９を参照して説明する。図１を参照して、本実施の形態の給湯装置１は、給湯装置本体２と、給湯装置本体２を遠隔操作するための浴室リモコン５０及び台所リモコン７０とにより構成されている。
【００２５】
給湯装置本体２には、バーナ３、バーナ３に燃焼用空気を供給するファン４、及び給湯装置１の全体的な作動を制御するコントローラ３０が備えられている。バーナ３は、その上方に配置された熱交換器６を加熱する。熱交換器６は、上流側の端部が水道管等に接続された入水管７と、下流側の端部が混合栓２７に接続された出湯管８との間に接続されている。なお、バーナ３と熱交換器６により本発明の加熱手段が構成される。
【００２６】
バーナ３は、燃焼量の異なる３つの燃焼部（第１燃焼部１０ａ，第２燃焼部１０ｂ，第３燃焼部１０ｃ）により構成され、これらの燃焼部の組合せによって複数段の燃焼量範囲が設定できるようになっている。バーナ３には、ガス供給管１１により燃料ガスが供給される。
【００２７】
ガス供給管１１には、上流側から順に、元ガス電磁弁１２、ガス比例弁１３、切替ガス電磁弁１４ａ，１４ｂ，１４ｃが設けられている。元ガス電磁弁１２を開弁した状態で、切替ガス電磁弁１４ａ，１４ｂ，１４ｃを開弁することによって、対応する第１燃焼部１０ａ，第２燃焼部１０ｂ，第３燃焼部１０ｃに燃料ガスが供給される。バーナ３の近傍には、バーナ３に点火するための点火プラグ１６と、バーナ３の燃焼炎を検出するフレームロッド１７が設けられている。また、点火プラグ１６に高電圧を印加して火花放電を生じさせるイグナイタ１５が設けられている。
【００２８】
入水管７には、入水管７に供給される水の流量（＝出湯管８からの出湯流量）を検出する流量センサ１８（本発明の流量検出手段に相当する）と、入水管７に供給される水の流量を調節する水量サーボ１９とが設けられている。また、熱交換器６をバイパスして、熱交換器６の下流側と上流側を連通するバイパス管９と、バイパス管９の開度を調節してバイパス比（熱交換器側に供給される水の流量に対するバイパス管９側に供給される水の流量の比率）を変更するバイパスサーボ２４が設けられている。
【００２９】
熱交換器６には、２個の過熱防止素子（バイメタルスイッチ２０及び温度ヒューズ２１）が設けられている。出湯管８には、熱交換器６の出口付近の湯の温度を検出する缶体温度センサ２２と、出湯管８から供給される湯の温度を検出する出湯温度センサ２３（本発明の出湯温度検出手段に相当する）が設けられている。
【００３０】
コントローラ３０は、マイクロコンピュータやメモリ３４等により構成された電子ユニットであり、このマイクロコンピュータに給湯装置１の制御用プログラムを実行させることによって、このマイクロコンピュータが、給湯制御手段３１、湯使用状況報知手段３２、目標出湯レベル設定手段３３、混合栓出湯流量算出手段３５、及び必要出湯流量算出手段３６として機能する。なお、混合栓出湯流量算出手段３５は、後述する第１実施形態で用いられる構成であり、必要出湯流量算出手段３６は、後述する第２実施形態で用いられる構成である。
【００３１】
コントローラ３０には、フレームロッド１７の燃焼炎検出信号、流量センサ１８の流量検出信号、缶体温度センサ２２の温度検出信号、バイメタルスイッチ２０及び温度ヒューズ２１の過熱検出信号、及び出湯温度センサ２３の温度検出信号が入力される。また、コントローラ３０から出力される制御信号によって、ファン４、元ガス電磁弁１２、ガス比例弁１３、切替ガス電磁弁１４ａ，１４ｂ，１４ｃ、イグナイタ１５、水量サーボ１９、及びバイパスサーボ２４の作動が制御される。
【００３２】
給湯制御手段３１は、給湯装置１が運転状態にあるときに、混合栓２７が開けられて入水管７への給水が開始され、流量センサ１８により所定の作動流量以上の流量が検出されたときに、バーナ３の点火処理を行う。そして、給湯制御手段３１は、出湯温度センサ２３により検出される出湯管８からの給湯温度が、浴室リモコン５０又は台所リモコン７０による設定温度となるように、ファン４の回転速度、ガス比例弁１３の開度、及び切替ガス電磁弁１０ａ，１０ｂ，１０ｃの開閉を制御して、バーナ３の燃焼量を調節する。
【００３３】
さらに、給湯制御手段３１は、入水管７への給水量が多過ぎて設定温度での給湯ができないときに、水量サーボ１９により入水管７への給水量を制限する。また、給湯制御手段３１は、使用者が断続的に湯を使用する際の出湯温度の変動を抑制するために、バイパスサーボ２４によりバイパス比を調節する。
【００３４】
また、出湯管８は入水管７と共に混合栓２７に接続されており、給湯装置１から出湯管８を介して供給される湯は、混合栓２７で入水管７から供給される水と混合されて出湯される。そして、混合栓２７における出湯管８からの湯と入水管７からの水の混合比は、使用者によるレバー２８の操作に応じて変更される。
【００３５】
次に、図２を参照して、浴室リモコン５０（本発明の第１リモコンに相当する）の構成について説明する。浴室リモコン５０には、給湯装置１を給湯運転が可能な運転状態と給湯運転が不能な待機状態とに切替えるための運転スイッチ５１、浴槽（図示しない）に所定量の湯を供給する自動湯張り運転の実行を指示するための自動スイッチ５２、浴槽内の湯の追焚きを指示するための追焚きスイッチ５３、台所リモコン７０に対して呼出音の出力を指示するための呼出しスイッチ５４、湯の使用流量に応じた報知を行なうエコランプ５５（本発明の報知手段及び第１報知手段に相当する）、音声やブザー音を出力するスピーカ５６、給湯温度の変更等を指示するためのＵＰスイッチ５７とＤＯＷＮスイッチ５８、及び、給湯装置本体２の作動状態等を表示する表示器５９が備えられている。
【００３６】
さらに、浴室リモコン５０のスイッチカバー６０の下には、浴槽への所定量の給水を指示するためのぬる湯スイッチ６１、浴槽への所定量の給湯を指示するための足し湯スイッチ６２、自動湯張り運転における湯張り量の設定モードへの移行とこの設定モードからの復帰を指示するための風呂湯量スイッチ６３、スピーカ５６の音量設定モードへの移行とこの設定モードからの復帰を指示するための音量スイッチ６４、台所リモコン７０による設定温度よりも浴室リモコン５０による設定温度を優先することを指示するための優先スイッチ６５、自動湯張り運転が完了した後の浴槽内の湯の保温時間の設定モードへの移行とこの設定モードからの復帰を指示するための保温時間スイッチ６６、自動湯張り運転時の浴槽への給湯温度（風呂温度）の設定モードへの移行とこの設定モードからの復帰を指示するための風呂温度スイッチ６７、及び、スイッチが操作されておらず、且つ湯が使用されていない時間が一定時間以上継続したときに、表示器５９を消灯するセーブモードの設定と、使用する湯の目標流量（混合栓２７からの出湯流量の目標値）の設定モードへの移行とこの設定モードからの復帰を指示するためのセーブスイッチ６８が備えられている。そして、使用者は、スイッチカバー６０を開けてこれらのスイッチを操作することができる。
【００３７】
次に、浴室リモコン５０による湯の目標流量の設定手順について説明する。使用者は、先ずセーブスイッチ６８を長押し（例えば３秒以上）する。これにより、浴槽リモコン５０は、湯の目標流量の設定モードとなる。そして、使用者は、ＵＰスイッチ５７又はＤＯＷＮスイッチ５８を操作して湯の目標流量を設定する。
【００３８】
ここで、図４（ａ）は、湯の目標流量の設定モードにおける表示器５９の表示状態を示している。セーブスイッチ６８の長押し操作により、湯の目標流量の設定モードに移行すると、１００で示したように、現状の目標流量（図では初期設定の７リットル/分）が点滅表示される。なお、目標流量は、以下の表１に示したように、初期設定及び１〜５（７リットル/分〜１２リットル/分）の６段階のエコ流量レベルによって設定される。
【００３９】
【表１】
2010281484.tif 000003
そして、使用者がＵＰスイッチ５７又はＤＯＷＮスイッチ５８を操作すると、それに応じて、１０１で示したように表示器５９の表示が切替わる（図ではエコ流量レベル２：９リットル/分が表示されている）。また、使用者がセーブスイッチ６８を操作すると、１０２に示したように、表示器５９の表示（図ではエコ流量レベル３：１０リットル/分が表示されている）が点滅から点灯に切替わって、目標流量の設定モードから復帰し、エコ流量レベルが確定する。
【００４０】
このようにしてエコ流量レベルが確定すると、目標出湯レベル設定手段３３は、上記表１に示したように、浴室リモコン５０について、エコ流量レベルに応じて第１設定流量から第３設定流量を設定し、各設定流量のデータをメモリ３４に記憶する。なお、エコ流量レベルに応じて設定される第１設定流量から第２設定流量までの範囲が、本発明の目標流量及び第１目標流量に相当する。
【００４１】
次に、図３を参照して、台所リモコン７０（本発明の第２リモコンに相当する）の構成について説明する。台所リモコン７０には、給湯装置１を運転状態と待機状態を切替えるための運転スイッチ７１、自動湯張り運転の実行を指示するための自動スイッチ７２、湯の使用流量に応じた報知を行なうエコランプ７３（本発明の報知手段及び第２報知手段に相当する）、音声やブザー音を出力するスピーカ７４、給湯温度の変更等を指示するためのＵＰスイッチ７５とＤＯＷＮスイッチ７６、及び給湯装置本体２の作動状態等を表示する表示器７７が備えられている。
【００４２】
さらに、台所リモコン７０のスイッチカバー８０の下には、時刻合わせモードへの移行と時刻合わせモードからの復帰を指示するための時計合わせスイッチ８１、使用する湯の目標流量の設定モードへの移行とこの設定モードからの復帰を指示するためのエコスイッチ８２、セーブモードを設定するためのセーブスイッチ８３、スピーカ７４の音量設定モードへの移行とこの設定モードからの復帰を指示するための音量スイッチ８４、自動湯張り運転における湯張り量の設定モードへの移行とこの設定モードからの復帰を指示するための風呂湯量スイッチ８５、自動湯張り運転における浴槽への給湯温度（風呂温度）の設定モードへの移行とこの設定モードからの復帰を指示するための風呂温度スイッチ８６、及び、追焚き運転の実行と停止を指示するための追焚きスイッチ８７が備えられており、使用者は、スイッチカバー８０を開けてこれらのスイッチを操作することができる。
【００４３】
次に、台所リモコン７０による湯の目標流量の設定手順について説明する。使用者は先ずエコスイッチ８２を操作し、これにより、台所リモコン７０は、湯の目標流量の設定モードとなる。そして、使用者は、ＵＰスイッチ７５又はＤＯＷＮスイッチ７６を操作して湯の目標流量を設定する。
【００４４】
ここで、図４（ｂ）は、湯の目標流量の設定モードにおける表示器７７の表示状態を示している。エコスイッチ８２の操作により、湯の目標流量の設定モードに移行すると、１１０で示したように、現状の目標流量（図では初期設定の４リットル/分）が点滅表示される。なお、目標流量は、以下の表２に示したように、初期設定及び１〜３（４リットル/分〜７リットル/分）の４段階のエコ流量レベルによって設定される。
【００４５】
【表２】
2010281484.tif 000004
そして、使用者がＵＰスイッチ７５又はＤＯＷＮスイッチ７６を操作すると、それに応じて、１１１に示したように表示器７７の表示が切替わる（図ではエコ流量レベル２：６リットル/分）。また、使用者がエコスイッチ８２を操作すると、１１２に示したように、表示器７７の表示（図ではエコ流量レベル３：７リットル/分）が点滅から点灯に切替わって、湯の目標流量の設定モードから復帰し、エコ流量レベルが確定する。
【００４６】
このようにしてエコ流量レベルが確定すると、目標出湯レベル設定手段３３は、上記表２に示したように、台所リモコン７０について、エコ流量レベルに応じた第１設定流量から第３設定流量を設定し、各設定流量をメモリ３４に記憶する。なお、エコ流量レベルに応じて設定される第１設定流量から第２設定流量までの範囲が、本発明の目標流量及び第２目標流量に相当する。
【００４７】
［第１実施形態］
次に、図５に示したフローチャートに従って、コントローラ３０による浴室リモコン５０のエコランプ５５の消灯／点灯／点滅の切換え処理の第１実施形態について説明する。なお、コントローラ３０は、台所リモコン７０のエコランプ７３についても消灯／点灯／点滅を切換えるが、処理内容は浴室リモコン５０の場合と同様であるので、ここでは説明を省略する。
【００４８】
コントローラ３０は、給湯装置本体２への通電により動作を開始して、ＳＴＥＰ１からＳＴＥＰ２に進み、エコランプ５５を消灯する。続くＳＴＥＰ３で、コントローラ３０はエコランプ表示が有効となっているか否かを判断する。なお、使用者は、セーブスイッチ６８を長押し操作して、現状の目標流量が点滅表示された状態となっているときに、ＵＰスイッチ５７とＤＯＷＮスイッチ５８を同時に押すことによって、エコランプ５５の表示を無効（常時消灯状態）にすることができる。
【００４９】
ＳＴＥＰ３でエコランプ表示が有効であるときはＳＴＥＰ４に進み、エコランプ表示が無効であるときにはＳＴＥＰ２に分岐する。ＳＴＥＰ４で、コントローラ３０は運転状態であるか否かを判断し、運転状態であるときはＳＴＥＰ５に進み、待機状態であるときにはＳＴＥＰ２に分岐する。ＳＴＥＰ５で、コントローラ３０は、給湯出湯中であるか否かを判断し、給湯出湯中であるときはＳＴＥＰ６に進み、給湯出湯中でないときにはＳＴＥＰ２に分岐する。
【００５０】
そのため、ＳＴＥＰ２〜ＳＴＥＰ５のループにおいては、(a)エコランプ表示が有効、(b)運転状態、(c)給湯出湯中、という３つの条件が満たされたときに、このループを抜けてＳＴＥＰ６，ＳＴＥＰ７の処理が実行される。
【００５１】
ＳＴＥＰ６は混合栓出湯流量算出手段３５による処理であり、混合栓出湯流量算出手段３５は、以下の式（１）により混合栓２７からの出湯流量である混合栓出湯流量Ｗkを算出する。
【００５２】
Ｗk＝Ｗs×（Ｔh−Ｔc）／（Ｔset−Ｔc） ・・・・・ (1)
但し、Ｗk：混合栓出湯流量、Ｗs：流量センサ１８による検出流量（出湯管からの出湯流量）、Ｔh：出湯温度センサの検出温度、Ｔc：入水管７から供給される水の温度、Ｔset：目標温度。
【００５３】
なお、本実施の形態では、混合栓出湯流量算出手段３５は、バーナ３の燃焼量と流量センサ１８による検出流量と出湯温度センサの検出温度とに基づいて、入水管７から供給される水の温度を算出（推定）する。そして、このようにして入水管７から供給される水の温度を算出する構成が、本発明の入水温度検出手段に相当する。また、本発明の入水温度検出手段として、入水管７に温度センサを設け、この温度センサにより入水管７から供給される水の温度を直接的に検出するようにしてもよい。
【００５４】
また、目標温度Ｔsetは、目標出湯レベル設定手段３３により、浴室で使用される一般的な湯の温度である４０℃に設定される。なお、湯の目標温度についても、上述した目標流量と同様にして、使用者の操作によって変更できるようにしてもよい。
【００５５】
次のＳＴＥＰ７は、湯使用状況報知手段３２による処理である。湯使用状況報知手段３２は、混合栓出湯流量算出手段３５により算出される混合栓出湯流量Ｗkを監視し、以下の表３に示したように、浴室リモコン５０のエコランプ５５の消灯／点灯／点滅を切換える。
【００５６】
【表３】
2010281484.tif 000005
図６は、湯使用状況報知手段３２による浴室リモコン５０のエコランプ５５の消灯／点灯／点滅の切替の制御例を示したものであり、縦軸が混合栓出湯流量Ｗkに設定され、横軸が時間ｔに設定されている。また、図中Ｆaは給湯運転が実行される入水管７への入水流量の下限値（作動流量）Ｆbに対応した混合栓２７からの出湯流量、Ｆ1は第１設定流量、Ｆ2は第２設定流量、Ｆ3は第３設定流量である。
【００５７】
図６の例では、ｔ10で混合栓出湯流量ＷkがＦa以上となって給湯運転が開始されている。そして、混合栓出湯流量Ｗkが第３設定流量Ｆ3以上となってから第１設定流量Ｆ1に達する前まで（ｔ11〜ｔ12）の間、湯使用状況報知手段３２は、エコランプ５５を点滅する。また、混合栓出湯流量Ｗkが第１設定流量Ｆ1以上となってから第２設定流量Ｆ2を超えるまでの間（ｔ12〜ｔ13）、湯使用状況報知手段３２は、エコランプ５５を点灯する。
【００５８】
そして、混合栓出湯流量Ｗkが第２設定流量Ｆ2を超えている間（ｔ13〜ｔ14）、湯使用状況報知手段３２は、エコランプ５５を消灯する。また、混合栓出湯流量Ｗkが減少して第２設定流量Ｆ2以下になってから第１設定流量Ｆ1未満になるまでの間（ｔ14〜ｔ15）、湯使用状況報知手段３２は、エコランプ５５を点灯する。また、混合栓出湯流量Ｗkがさらに減少して第１設定流量Ｆ1未満になってから第３設定流量未満になるまでの間（ｔ15〜ｔ16）、湯使用状況報知手段３２は、エコランプ５５を点滅させる。さらに、混合栓出湯流量Ｗkが第３設定流量Ｆ3未満となったｔ16以降で、湯使用状況報知手段３２はエコランプ５５を消灯する。
【００５９】
このように、湯使用状況報知手段３２は、混合栓出湯流量Ｗkが適正範囲（Ｆ1≦Ｗk≦Ｆ2）に近付くに従って、エコランプ５５を消灯→点滅→点灯と切替えている。そのため、使用者は、湯を使い始めるときに、エコランプ５５の表示状態を視認して現状の混合栓出湯流量Ｗkと適正範囲との乖離度合いを確認しながら、混合栓２７を開けていくことにより、混合栓出湯流量Ｗkを適正範囲内に容易に調節することができる。
【００６０】
また、湯使用状況報知手段３２は、混合栓出湯流量Ｗkが適正範囲（Ｆ1≦Ｗk≦Ｆ2）を超えるとエコランプ５５を消灯する。そして、このように、エコランプ５５を点灯から消灯に切替えることによって、使用者に湯を使い過ぎていることを認識させて、湯の使用流量を減少させることを促すことができる。
【００６１】
次に、湯使用状況報知手段３２によるエコランプ５５の消灯／点滅／点灯の切替え制御の他の実施形態を、図７（ａ）及び図７（ｂ）に示す。
【００６２】
図７（ａ）の実施形態では、上述した図６の場合と同様に、混合栓出湯流量Ｗkが第３設定流量Ｆ3から第１設定流量までの範囲にあるときに、エコランプ５５を第１の点滅状態とするのに加えて、混合栓出湯流量ＷkがＦaから第３設定流量Ｆ3までの範囲にあるときに、第１の点滅状態とは異なる（例えば点滅周期が相違する）第２の点滅状態とする。
【００６３】
そして、これにより、使用者に対して、現状の混合栓出湯流量Ｗkの目標流量範囲の下限（第１設定流量）からの乖離の程度を、さらに区分して視認させることができる。
【００６４】
また、図７（ｂ）の実施形態では、目標出湯レベル設定手段３３により、第１設定流量Ｆ1，第２設定流量Ｆ2，第３設定流量Ｆ3に加えて、第２設定流量よりも所定量多い第４設定流量Ｆ4が設定される。
【００６５】
そして、湯使用状況報知手段３２は、現状の混合栓出湯流量Ｗkが第２設定流量Ｆ2から第４設定流量Ｆ4までの範囲（Ｆ2＜Ｗk≦Ｆ4）にあるときに、エコランプ５５を点滅状態とする。これにより、使用者に対して、現状の混合栓出湯流量Ｗkの目標流量範囲の上限（第２設定流量）からの乖離の程度を、区分して視認させることができる。
【００６６】
なお、第４設定流量Ｆ4よりも多い第５設定流量をさらに設定し、混合栓出湯流量Ｗkが第２設定流量Ｆ2よりも多く第４設定流量以下の範囲内（Ｆ2＜Ｗk≦Ｆ4）にあるときに、エコランプ５５を第３の点滅状態とし、混合栓出湯流量Ｗkが第４設定流量Ｆ4よりも多く第５設定流量Ｆ5以下の範囲内（Ｆ4＜Ｗk≦Ｆ5）にあるときに、エコランプ５５を第３の点滅状態と異なる第４の点滅状態としてもよい。
【００６７】
［第２実施形態］
次に、図８に示したフローチャートに従って、コントローラ３０による浴室リモコン５０のエコランプ５５の消灯／点灯／点滅の切換え処理の第２実施形態について説明する。なお、コントローラ３０は、台所リモコン７０のエコランプ７３についても消灯／点灯／点滅を切換えるが、処理内容は浴室リモコン５０の場合と同様であるので、ここでは説明を省略する。
【００６８】
図８のＳＴＥＰ１〜ＳＴＥＰ５の処理は、上述した図５のＳＴＥＰ１〜ＳＴＥＰ５と同一であるので、ここでは説明を省略する。
【００６９】
ＳＴＥＰ１０は、必要出湯流量算出手段３６による処理であり、必要出湯流量算出手段３６は、以下の式（２）により、混合栓２７から目標温度の湯を目標流量で出湯するために必要となる出湯管８から混合栓２７への湯の供給流量である、必要出湯流量Ｗnを算出する。
【００７０】
Ｗn＝Ｗset×（Ｔset−Ｔc）／（Ｔh−Ｔc） ・・・・・ (2)
但し、Ｗn：必要出湯流量、Ｗset：目標流量、Ｔset：目標温度、Ｔc：入水管７から供給される水の温度。
【００７１】
なお、目標流量Ｗsetは、上述した第１実施形態と同様にして、浴室リモコン５０と台所リモコン７０について個別に設定される。そして、目標出湯流量算出手段３６は、上述した第１設定流量〜第３設定流量を上記式のＷsetに代入して、対応する必要出湯流量Ｗnを、第１必要設定流量，第２必要設定流量，第３必要設定流量として算出する。
【００７２】
続くＳＴＥＰ１１は湯使用状況報知手段３２による処理である。第２実施形態では、湯使用状況報知手段３２は、流量センサ１８の検出流量Ｗsと、第１必要設定流量，第２必要設定流量，第３必要出湯流量を比較して、以下の表４に示したように、浴室リモコン５０のエコランプ５５の消灯／点灯／点滅を切換える。
【００７３】
【表４】
2010281484.tif 000006
なお、本実施の形態では、使用者が浴室リモコン５０により目標使用流量を設定するときに、図４を参照して上述したように、目標流量の設定値のみを表示したが、図９（ａ）の１２０に示したように、現状の目標流量の設定値１２１（図では１０リットル/分）を点灯表示すると共に、現状の混合栓出湯流量１２２を点滅表示させるようにしてもよい。この場合、使用者は実際に湯を使用してその流量表示を確認しながら、浴室での目標流量を設定することができる。使用者が目標流量の設定を終了すると、１３０に示したように、現状の混合栓出湯流量１２２が点灯表示に切替わる。
【００７４】
同様にして、使用者が台所リモコン７０により目標流量を設定するときに、図９（ｂ）の１４０に示したように、現状の目標使用流量の設定値１４１（図では７リットル/分）を点灯表示すると共に、現状の混合栓出湯流量１４２を点滅表示させるようにしてもよい。この場合、使用者は実際に湯を使用してその流量表示を確認しながら、台所での目標流量を設定することができる。使用者が目標流量の設定を終了すると、１５０に示したように、現状の混合栓出湯流量１４２が点灯表示に切替わる。
【００７５】
また、本実施の形態では、本発明の報知手段として、浴室リモコン５０のエコランプ５５及び台所リモコン７０のエコランプ７３を使用したが、スピーカからの音声やブザー音の出力、表示器への文字表示等、他の種類の報知手段を用いて、混合栓２７からの出湯流量が目標流量から乖離する度合を報知するようにしてもよい。
【符号の説明】
【００７６】
１…給湯装置、２…給湯装置本体、３…バーナ、７…入水管、８…出湯管、１８…流量センサ、３０…コントローラ、３２…湯使用状況報知手段、３３…目標出湯レベル設定手段、３５…混合栓出湯流量算出手段、３６…必要出湯流量算出手段、５０…浴室リモコン、５５…（浴室リモコンの）エコランプ、７０…台所リモコン、７３…（台所リモコンの）エコランプ。
【図１】
2010281484.tif 000007
【図２】
2010281484.tif 000008
【図３】
2010281484.tif 000009
【図４】
2010281484.tif 000010
【図５】
2010281484.tif 000011
【図６】
2010281484.tif 000012
【図７】
2010281484.tif 000013
【図８】
2010281484.tif 000014
【図９】
2010281484.tif 000015